(57)【要約】【課題】木の葉や虫等のゴミを除去するための定期的なメンテナンスが不要で、効率的な雨水の取り出しが安定して維持される、改善された新しい雨水取り出し装置を提供する。【解決手段】上部４ａに上側竪樋９が挿入される挿入口２とその下方の底部４ｂに下側竪樋１０が接続される接続部３とを有する連結筒部４と、連結筒部４に連設一体化され、底部６ａに雨水取り出し口部５を有する雨水取り出し筒部６とを備えた雨水取り出し装置１において、連結筒部４には、上側竪樋９から流下する雨水を受けて雨水取り出し筒部６へと流通させる整流板７が、雨水取り出し筒部６側に斜め下方に傾斜して内設され、雨水取り出し筒部６には、整流板７の下方に位置し、整流板７を通じて導入された雨水を雨水取り出し口部５へ排水可能に網目状に形成された排水板８が、雨水取り出し筒部６の雨水取り出し口部５の上方に連結筒部４側に斜め下方に傾斜して内設されている。【選択図】図１
2009127372.tif 000002
【特許請求の範囲】
【請求項１】
上部に上側竪樋が挿入される挿入口とその下方の底部に下側竪樋が接続される接続部とを有する連結筒部と、連結筒部に連設一体化され、底部に雨水取り出し口部を有する雨水取り出し筒部とを備えた雨水取り出し装置において、連結筒部には、上側竪樋から流下する雨水を受けて雨水取り出し筒部へと流通させる整流板が、雨水取り出し筒部側に斜め下方に傾斜して内設され、雨水取り出し筒部には、整流板の下方に位置し、整流板を通じて導入された雨水を雨水取り出し口部へ排水可能に網目状に形成された排水板が、雨水取り出し筒部の雨水取り出し口部の上方に連結筒部側に斜め下方に傾斜して内設されていることを特徴とする雨水取り出し装置。
【請求項２】
整流板は、連結筒部から雨水取り出し筒部にかけて内設されており、整流板の先端が、雨水取り出し筒部における雨水取り出し口部の軸心よりも外方に配設されていることを特徴とする請求項１に記載の雨水取り出し装置。
【発明の詳細な説明】
【技術分野】
【０００１】
本発明は、竪樋を流下する雨水を外部に取り出す雨水取り出し装置に関するものである。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
例えば、軒樋に連通する竪樋の適当な位置に取り付けられる筒状の装置で、上側の竪樋と下側の竪樋とを連結する連結筒部と、連結筒部に連設され、フィルターを内設した雨水取り出し筒部を備えた雨水除塵取水装置が提案されている（例えば、特許文献１参照）。この雨水除塵取水装置は、網と濾材とによって、木の葉や虫等のゴミを除去するフィルターが構成され、これを内設している雨水取り出し筒部の上方開口に、開閉自在とした蓋が取り付け固定されている。
【０００４】
この雨水除塵取水装置においては、雨水取り出し筒部の蓋を開けてフィルターに集積されたゴミを除去している。しかしながら、手で蓋を開けたままゴミを取出さねばならないことから、フィルターに集積されたゴミの除去に際して蓋が障害となりやすいという問題点がある。また、蓋の開閉操作にともなうゴミの取り出しは、蓋とフィルターとの間の距離があると大変面倒なものになるが、フィルターのゴミ詰まりによる取水性悪化の懸念もあることから、ゴミを定期的に除去してメンテナンスをおこなう必要がある。
【特許文献１】実用新案登録第３１２９４９２号公報
【発明の開示】
【発明が解決しようとする課題】
【０００５】
本発明は、上記のとおりの背景から、従来の問題点を解消し、木の葉や虫等のゴミを除去するための定期的なメンテナンスが不要で、効率的な雨水の取り出しが安定して維持される、改善された新しい雨水取り出し装置を提供することを課題としている。
【課題を解決するための手段】
【０００６】
本発明の雨水取り出し装置は以下のことを特徴としている。
【０００７】
第１には、上部に上側竪樋が挿入される挿入口とその下方の底部に下側竪樋が接続される接続部とを有する連結筒部と、連結筒部に連設一体化され、底部に雨水取り出し口部を有する雨水取り出し筒部とを備えた雨水取り出し装置において、連結筒部には、上側竪樋から流下する雨水を受けて雨水取り出し筒部へと流通させる整流板が、雨水取り出し筒部側に斜め下方に傾斜して内設され、雨水取り出し筒部には、整流板の下方に位置し、整流板を通じて導入された雨水を雨水取り出し口部へ排水可能に網目状に形成された排水板が、雨水取り出し筒部の雨水取り出し口部の上方に連結筒部側に斜め下方に傾斜して内設されていることを特徴とする。
【０００８】
第２には、第１の発明において、整流板は、連結筒部から雨水取り出し筒部にかけて内設されており、整流板の先端が、雨水取り出し筒部における雨水取り出し口部の軸心よりも外方に配設されていることを特徴とする。
【発明の効果】
【０００９】
第１の発明によれば、連結筒部に内設された整流板により、上側竪樋から流下した雨水を連結筒部の内部で発散させることなく雨水取り出し筒部へと効果的に流通させることができる。また、これによって雨水取り出し筒部に導入された雨水は、網目状に形成された排水板を通じて雨水取り出し口部から効果的に取り出すことができる。さらに、整流板及び排水板は傾斜しているため、木の葉や虫等のゴミが連結筒部及び雨水取り出し筒部の内部に蓄積することはない。したがって、本発明の雨水取り出し装置は、ゴミを除去するための定期的なメンテナンスが不要であり、しかも効率的な雨水の取り出しが長期にわたり安定して維持され実現されるのである。
【００１０】
第２の発明によれば、整流板が、連結筒部から雨水取り出し筒部にかけて内設されており、整流板の先端が、雨水取り出し筒部における雨水取り出し口部の軸心よりも外方に配設されていることにより、雨水取り出し筒部の内部においても雨水を発散させることなく流通させ、雨水取り出し口部からより一層雨水を効果的に取り出すことができる。
【発明を実施するための最良の形態】
【００１１】
図１は、本発明の雨水取り出し装置の一実施形態を示した縦断面図であり、図２は、図１の雨水取り出し装置のＡ−Ａ矢視断面図である。図３は、図１に示した雨水取り出し装置が上側竪樋及び下側竪樋に接続された状態の外観を示す斜視図である。
【００１２】
本実施形態の雨水取り出し装置１は、上部４ａに円筒状の上側竪樋９が挿入される挿入口２とその下方の底部４ｂに円筒状の下側竪樋１０が接続される接続部３とを有する連結筒部４と、連結筒部４に連設一体化され、底部６ａに雨水取り出し口部５を有する雨水取り出し筒部６とを備えている。
【００１３】
連結筒部４における挿入口２は、連結筒部４の上部４ａに形成される開口であり、その外径は上側竪樋９の外径と略一致する。このため、挿入口２に上側竪樋９が挿入された状態においては、上側筒部Ａと連結筒部４との間でガタツキが生じず、安定した接続が実現される。連結筒部４における接続部３は、連結筒部４の底部４ｂから下方に延設された円筒形状を有し、その外径は下側竪樋１０の内径と略等しいか又は若干小さくなっており、下側竪樋１０が接続部３に嵌挿されて取り付けられるようになっている。このように本実施形態の雨水取り出し装置１の連結筒部４は、上側竪樋９と下側竪樋１０とを確実に連結することができる構造になっている。
【００１４】
雨水取り出し筒部６の底部６ａには、円筒状の雨水取り出し口部５が下方に延設されており、別途の場所に設置された雨水貯水槽に接続されたホース１１等の通水路を形成する部材の上端部が嵌入又は挿入され、雨水が雨水取り出し口部５より雨水貯水槽に取り出されるようになっている。
【００１５】
連結筒部４には、上側竪樋９から流下する雨水を受けて雨水取り出し筒部６へと流通させる平板状の整流板７が雨水取り出し筒部６側に斜め下方に傾斜して内設されており、連結筒部４の内部が区画され上空間４１と下空間４２が形成されている。この整流板７は、図１に示すように、雨水取り出し筒部６内の空間にもおよんでおり、整流板７の先端７ａが、雨水取り出し筒部６の雨水取り出し口部５の軸心よりも外方（図１では右方向）、つまり雨水取り出し筒部６側方向の位置になるように配設されている。これにともない、雨水取り出し筒部６内でも、整流板７によって上空間６１と下空間６２が形成されている。なお、連結筒部４内の上空間４１と雨水取り出し筒部６の上空間６１は互いに連通し、同様に、連結筒部４内の下空間４２と雨水取り出し筒部６の下空間６２は互いに連通している。また、雨水取り出し筒部６内において整流板７の先端７ａの外方部分では整流板７によって形成された上空間６１と下空間６２が連通している。このように整流板７によって区画されていることで、連結筒部４及び雨水取り出し部筒６の内部では、上空間４１，６１とこれと連通する下空間４２，６２により雨水の流路が形成される。したがって、上側竪樋９から流下した雨水は、連結筒部４及び雨水取り出し部筒６の内部で発散することなく、前記流路に沿った流れが形成され、後述するが、排水板８の網目を通過して雨水取り出し口部５より取り出されるか、また、さらには接続部３より下側竪樋１０に排水されるようになり、雨水取り出し装置１の取水性能及び排水性能が良好に実現される。
【００１６】
雨水取り出し筒部６の下空間６２、つまり整流板７の下方の位置には、網目状に形成された排水板８が、雨水取り出し筒部６の雨水取り出し口部５の上方に連結筒部４側に斜め下方に傾斜して内設されている。具体的には、図１に示すように、排水板８の周縁の一部を雨水取り出し筒部６の底部６ａに接続させ、残りの周縁を側壁６ｂに接続させて勾配を持つようにしている。この排水板７は、整流板７を介して上空間４１，６１から下空間６２に導入された雨水を雨水取り出し口部５に排水させるために上記のとおり網目形状に形成されている。本実施形態では、上側竪樋９から雨水とともに流下した木の葉や虫等のゴミが雨水と一緒に雨水取り出し口部５に流れ込まないように、目が細かいメッシュ構造を有する樹脂製又は金属製の排水板８とされ、排水板８の網目から雨水だけを通過させて雨水取り出し口部５より水資源として再利用する雨水を取り出すようにしている。
【００１７】
降雨初期において、上側竪樋９から雨水とともにゴミが雨水取り出し装置１に流下する。この段階では上側竪樋９から流下する雨水の雨量は少なく、雨水のほとんどが排水板８の網目を通過して雨水取り出し口部５より取り出される。ゴミは、整流板７及び排水板８の傾斜によって接続部３より下側竪樋１０に流れ込むか、整流板７上や排水板８上に留まる。降雨中期になり上側竪樋９から流下する雨量が増大すると、雨水の一部は、排水板８の網目を通過せずに排水板８上を流れ、連結筒部４の底部４ｂを通じて接続部３より下側竪樋１０に流れこみ、排水される。この雨水の流れに伴い、整流板７上や排水板８上に留まったゴミが下側竪樋１０に流れこむ。
【００１８】
このように本実施形態の雨水取り出し装置１では、上側竪樋９から雨水取り出し装置１に流下した雨水を、水資源として再利用する雨水として雨水取り出し口部５から効率よく確実に取り出すことができる。さらに、本実施形態の雨水取り出し装置１の内部は、上側竪樋９から雨水とともに流下した木の葉や虫等のゴミが堆積しない。万が一、ゴミが整流板７上や排水板８上に留まっても、降雨時に雨水とともに流されるため、雨水取り出し装置１の内部でゴミが堆積することはない。よって、雨水取り出し装置１の内部でゴミによる目詰まりが生じることはなく、雨水取り出し装置１の取水性能及び排水性能が良好に実現される。また、ゴミを除去するための定期的なメンテナンスが不要になり、優れた保全性能も有する。なお、下側竪樋１０に流れ込んだゴミは、別途、下側竪樋１０の所定の箇所に設置されたフィルター等から除去される。
【００１９】
本発明の雨水取り出し装置は、その形状や大きさ等において様々な形態があってよい。例えば、本実施形態では円筒状の竪樋に連結されているが、角形の竪樋に連結されていてもよい。この場合、連結筒部の挿入口及び接続部の形状や大きさは、角形の竪樋に対応した形状や大きさに設定される。
【図面の簡単な説明】
【００２０】
【図１】本発明の雨水取り出し装置の一実施形態を示した縦断面図である。
【図２】図１の雨水取り出し装置のＡ−Ａ矢視断面図である。
【図３】図１に示した雨水取り出し装置が上側竪樋及び下側竪樋に接続された状態の外観を示す斜視図である。
【符号の説明】
【００２１】
１  雨水取り出し装置
２  挿入口
３  接続部
４  連結筒部
４ａ  上部
４ｂ  底部
５  雨水取り出し口部
６  雨水取り出し筒部
６ａ  底部
６ｂ  側壁
７  整流板
７ａ  先端
８  排水板
９  上側竪樋
１０  下側竪樋
１１  ホース
【図１】
2009127372.tif 000003
【図２】
2009127372.tif 000004
【図３】
2009127372.tif 000005